(57)【要約】      （修正有）【課題】サバイバルゲーム等において標的として用いられる風船を簡単かつ確実に身体に固定することができると共に、風船の大きさや固定方法をプレーヤー間で統一することができる風船装着具を提供する。【解決手段】標的として使用される風船１００をプレーヤーの身体に装着するための風船装着具１０であって、風船１００を着脱可能に係合固定しうる風船固定部１１と、風船固定部１１をプレーヤーの身体に着脱可能に固定しうる装着部１２とを備えている。【選択図】図１
0003199335.tif 000002
【実用新案登録請求の範囲】
【請求項１】
標的として使用される風船をプレーヤーの身体に装着するための風船装着具であって、前記風船を着脱可能に係合固定しうる風船固定部と、前記風船固定部を前記プレーヤーの身体に着脱可能に固定しうる装着部とを備えたことを特徴とする風船装着具。
【請求項２】
前記風船固定部は、風船下部を保持しうる保持部と、前記保持部に設けられ、前記風船の空気注入口を固定しうる固定部とを有することを特徴とする請求項１記載の風船装着具。
【請求項３】
前記装着部は、前記固定部を着脱可能に接合しうる接合部と、前記接合部に設けられ、前記プレーヤーの衣服又は装備品に係止しうる係止部とにより構成されていることを特徴とする請求項２記載の風船装着具。
【請求項４】
前記保持部は全体略円錐状に形成され、前記固定部は前記保持部の縮径端部に延設され短円筒として形成されると共に前記風船の空気注入口を係止しうる複数の切欠部が設けられていることを特徴とする請求項２記載の風船装着具。
【請求項５】
前記固定部の外周面部には螺子部が設けられると共に前記接合部は前記螺子部に螺合しうる螺合部を有することを特徴とする請求項４記載の風船装着具。
【請求項６】
前記係止部は、一対の挟持片を有する挟持片部を有することを特徴とする請求項３記載の風船装着具。
【考案の詳細な説明】
【技術分野】
【０００１】
本考案は、風船装着具に係り、特にサバイバルゲーム等において標的として使用される風船をプレーヤーの身体に装着するための風船装着具に関するものである。
【背景技術】
【０００２】
一般に、エアソフトガンに代表される遊技用の銃と、プラスチック製の弾とを用いて行うサバイバルゲームが知られている。サバイバルゲームは日本を発祥とする遊技、競技であって、現在ではエアソフトという名称で海外においても親しまれる等、様々な展開を見せている。
【０００３】
サバイバルゲームにおいては、プレーヤーは身体のどこかに弾が当たった場合に失格となるのが基本的なルールであり、プレーヤーの自己申告制となっている。しかしながら、プラスチック製の弾は当たっても気づかないことも多く、このルールの下では、悪意の有無にかかわらず、撃たれても自己申告しないプレーヤーが存在し、トラブルの原因となっていた。
【０００４】
そこで、風船をプレーヤーの身体の一部に固定し、その風船を標的としてサバイバルゲームの勝敗判定に利用しようとするアイデアが提案されている。例えば、特許文献１においては、頭頂部に穴が設けられたヘルメット本体と、このヘルメット本体の穴に装着された風船と、前記風船をヘルメット本体に密着させるためのバンド又は目の粗いネットとを備えたことを特徴とするサバイバルゲーム用ヘルメットが開示されている。
【０００５】
しかしながら、特許文献１においては、風船をバンド又はネットで固定するため、その作業が煩雑であるという不具合を生じていた。また、特許文献１においては、風船を膨らませる際の大きさや固定の仕方の違いによって割れやすさが異なるため、プレーヤー間の不公平感を生んでしまうという事態も生じていた。
【特許文献１】特開２００４−２２３０３０号公報
【考案の開示】
【考案が解決しようとする課題】
【０００６】
本考案は、以上のような従来からの不具合を解消するためのものであって、その課題は、サバイバルゲーム等において標的として用いられる風船を簡単かつ確実に身体に固定することができると共に、風船の大きさや固定方法をプレーヤー間で統一することができる風船装着具を提供することにある。
【課題を解決するための手段】
【０００７】
前記課題を解決するために、請求項１に記載の考案にあっては、標的として使用される風船をプレーヤーの身体に装着するための風船装着具であって、前記風船を着脱可能に係合固定しうる風船固定部と、前記風船固定部を前記プレーヤーの身体に着脱可能に固定しうる装着部とを備えたことを特徴とする。
【０００８】
従って、前記風船固定部に係合固定された風船は、前記装着部によって前記プレーヤーの身体に着脱可能に固定される。
【０００９】
請求項２に記載の考案にあっては、前記風船固定部は、風船下部を保持しうる保持部と、前記保持部に設けられ、前記風船の空気注入口を固定しうる固定部とを有することを特徴とする。
【００１０】
従って、前記風船下部は前記保持部によって保持されると共に、前記風船の空気注入口は前記固定部に固定される。
【００１１】
請求項３に記載の考案にあっては、前記装着部は、前記固定部を着脱可能に接合しうる接合部と、前記接合部に設けられ、前記プレーヤーの衣服又は装備品に係止しうる係止部とにより構成されていることを特徴とする。
【００１２】
従って、前記装着部は前記接合部によって前記固定部に着脱可能に接合されると共に、前記装着部は前記係止部によって前記プレーヤーの衣服又は装備品に係止される。
【００１３】
請求項４に記載の考案にあっては、前記保持部は全体略円錐状に形成され、前記固定部は前記保持部の縮径端部に延設され短円筒として形成されると共に前記風船の空気注入口を係止しうる複数の切欠部が設けられていることを特徴とする。
【００１４】
従って、前記風船の空気注入口は前記複数の切欠部によって係止される。
【００１５】
請求項５に記載の考案にあっては、前記固定部の外周面部には螺子部が設けられると共に前記接合部は前記螺子部に螺合しうる螺合部を有することを特徴とする。
【００１６】
従って、前記接合部の螺合部は、前記固定部の外周面部に沿って螺子部に螺合される。
【００１７】
請求項６に記載の考案にあっては、前記係止部は、一対の挟持片を有する挟持片部を有することを特徴とする。
【００１８】
従って、前記挟持片部は、前記一対の挟持片によって、前記プレーヤーの衣服又は装備品に係止される。
【考案の効果】
【００１９】
請求項１に記載の風船装着具にあっては、前記風船固定部に係合固定された風船は、前記装着部によって前記プレーヤーの身体に着脱可能に固定されるので、風船をプレーヤーの身体に着脱可能に固定することができる。
その結果、サバイバルゲーム等において標的として用いられる風船を簡単かつ確実にプレーヤーの身体に固定することができる風船装着具を提供することができる。
特に、従来のように風船を固定しうるヘルメットを使用する場合は、風船が割れて交換する際にヘルメットを一度外さなければならなかったのに対して、請求項１に記載の風船装着具にあっては、前記装着部をプレーヤーの身体から外すことで風船を簡単に交換することができる。
【００２０】
請求項２に記載の風船装着具にあっては、前記風船下部は前記保持部によって保持されると共に、前記風船の空気注入口は前記固定部に固定されるので、サバイバルゲーム等においてプレーヤーが激しく動いた場合であっても、風船を標的として確実に固定することができる。
【００２１】
請求項３に記載の風船装着具にあっては、前記装着部は前記接合部によって前記固定部に着脱可能に接合されると共に、前記装着部は前記係止部によって前記プレーヤーの衣服又は装備品に係止されるので、前記風船の空気注入口が固定される前記固定部を前記装着部から取り外すことができる。その結果、風船をより簡単に交換することができる。
特に、請求項３に記載の風船装着具にあっては、予備の風船及び風船固定部を用意して、前記予備の風船を膨らませ、前記予備の風船の空気注入口を前記予備の風船固定部に設けられた固定部に固定することで、予備の風船を膨らませた状態でストックしておくことができる。
従って、風船が割れた場合には、前記装着部から前記風船固定部を取り外し、代わりに前記予備の風船固定部を取り付けることで、予備の風船と素早く交換することができる。
【００２２】
請求項４に記載の風船装着具にあっては、前記保持部は全体略円錐状に形成されているので、前記風船を膨らませる際に、前記風船下部が前記保持部に密着する大きさとなるまで膨らませることで、風船の大きさや固定方法をプレーヤー間で統一することができる。
また、さらに、請求項４に記載の風船装着具にあっては、前記風船の空気注入口は前記複数の切欠部によって係止されるので、前記風船の空気注入口を捩って前記切欠部に係止させることで、前記風船内に注入した空気を漏らすことなく迅速に前記風船を固定することができる。
【００２３】
請求項５に記載の風船装着具にあっては、前記接合部の螺合部は、前記固定部の外周面部に沿って螺子部に螺合されるので、前記風船が固定された前記風船固定部を、前記プレーヤーの身体に固定する装着部に対して、簡単かつ確実に固定することができる。
特に、前記風船の空気注入口が係止される前記複数の切欠部は、前記接合部によって被覆されるので、前記空気注入口が前記切欠部から脱出し、前記風船が外れたり、前記風船内の空気が漏れたりするといった事態を確実に防止することができる。
【００２４】
請求項６に記載の風船装着具にあっては、前記挟持片部は、前記一対の挟持片によって、前記プレーヤーの衣服又は装備品に係止されるので、風船を簡単かつ確実に身体の任意の箇所に着脱可能に固定することができる。
【図面の簡単な説明】
【００２５】
【図１】図１は、本考案に係る風船装着具の一実施の形態を示す正面図である。
【図２】図２は、本考案に係る風船装着具の一実施の形態を示し、風船固定部と装着部と分離させた状態を表す斜視図である。
【図３】図３は、本考案に係る風船装着具の一実施の形態において、下方から見た風船固定部の拡大斜視図である。
【図４】図４は、本考案に係る風船装着具の一実施の形態において、風船装着具をプレーヤーに装着させた状態を示す斜視図である。
【考案を実施するための最良の形態】
【００２６】
以下、添付図面に示す実施の形態に基づき、本考案を詳細に説明する。
図４に示すように、本考案の一実施の形態に係る風船装着具１０は、標的として使用される風船１００をプレーヤーの身体１０１に装着するように構成され、図１、図２及び図４に示すように、風船１００を着脱可能に係合固定しうる風船固定部１１と、風船固定部１１をプレーヤーの身体１０１に着脱可能に固定しうる装着部１２とを備えている。
【００２７】
また、図１、図２及び図４に示すように、本実施の形態に係る風船固定部１１は、風船下部１０２を保持しうる保持部１３と、図３に示すように、保持部１３に設けられ、風船１００の空気注入口を捩って形成した端部１０３を固定しうる固定部１４とを有している。
また、図１、図２及び図４に示すように、装着部１２は、固定部１４を着脱可能に接合しうる接合部１５と、接合部１５に設けられ、プレーヤーの装備品１０４に係止しうる係止部１６とにより構成されている。
【００２８】
また、図１〜図４に示すように、本実施の形態に係る保持部１３は、合成樹脂によって、全体略逆円錐状に形成されている。また、図２及び図３に示すように、本実施の形態に係る固定部１４は、保持部１３の縮径端部１７に延設された短円筒として保持部１３と一体に形成されている。
また、図２及び図３に示すように、本実施の形態に係る固定部１４には、風船１００の空気注入口を捩って形成した端部１０３を係止しうる４箇所の切欠部１８、１８、１８、１８が、固定部１４の長さ方向に沿って、夫々、所定寸法離間して設けられている。
【００２９】
また、図２及び図３に示すように、本実施の形態に係る固定部１４の外周面部１９には螺子部２０が設けられている。また、図１、図２及び図４に示すように、本実施の形態に係る接合部１５は、固定部１４と略同一の径寸法Ｌ１を有する全体有底短円筒状に形成され、接合部１５の内周面部には、螺子部２０に螺合しうる螺合部（図示せず）が設けられている。
また、図１、図２及び図４に示すように、本実施の形態に係る係止部１６は、一対の挟持片２１、２１を有する挟持片部２２を有している。
【００３０】
本実施の形態に係る風船装着具１０の構成について、添付図面を用いてより詳細に説明する。
図１及び図２に示すように、本実施の形態に係る係止部１６は、挟持片部２２と、挟持片部２２を支持すると共に、挟持片部２２を接合部１５に固定しうる係止部固定部２３とにより構成されている。
図１及び図２に示すように、本実施の形態に係る挟持片部２２は、全体クリップ状に形成されており、一対の胴部２４、２４が軸部２５を介して回動可能に接合されている。一対の胴部２４、２４の先端部に挟持片２１、２１が、夫々、設けられ、基端部には把持部２６、２６が、夫々、設けられている。把持部２６、２６には、孔部２７、２７が、夫々、設けられており、図示しないが、一対の胴部２４、２４の間に配設されたコイルバネを介して一対の挟持片２１、２１により所定の圧力を以って対象物に固定できるように構成されている。
【００３１】
また、図１及び図２に示すように、本実施の形態に係る係止部固定部２３は、側面略Ｌ字状に形成され、一端部２８が、接合部１５の底部２９に螺子３０、３０により固定され、他端部３１には、挟持片部２２が孔部２７を介して螺子３０とナット３２とにより固定されている。
また、図１、図２及び図４に示すように、本実施の形態に係る保持部１３の拡径端部３３は、周方向に沿って保護テープ３４によって被覆されている。
【００３２】
以下、本実施の形態に係る風船装着具１０の作用について、添付図面を用いて説明する。
本実施の形態に係る風船装着具１０を使用する場合には、風船１００の空気注入口から空気を注入して風船１００を膨らませた後に、図３に示すように、空気注入口を捩って形成した端部１０３を、複数の切欠部１８、１８・・・に掛け回すことで係止させる。
この際、一般の風船においては、空気が漏れないように空気注入口を縛る必要があるのに対し、本実施の形態に係る風船装着具１０にあっては、風船１００の空気注入口を捩って形成した端部１０３を複数の切欠部１８、１８・・・に掛け回して係止させることで空気注入口から空気が漏れない状態となる。
その結果、空気注入口を縛る必要がなく、風船１００内に注入した空気を漏らすこともなく迅速に風船１００を固定することができる風船装着具１０を提供することができる。
【００３３】
また、本実施の形態に係る風船装着具１０にあっては、風船１００を膨らませる際に、ポンプによって一定量の空気を注入すると共に、風船１００の空気注入口を一定回数捩って端部１０３を形成することで、風船１００内の空気圧を一定にすることができる。
その結果、風船の割れやすさをプレーヤー間で統一することができる風船装着具１０を提供することができる。
【００３４】
また、図１に示すように、本実施の形態に係る風船装着具１０にあっては、保持部１３は全体略円錐状に形成されているので、風船１００を膨らませる際に、風船下部１０２が保持部１３に密着する大きさとなるまで膨らませることで、風船１００の大きさや固定方法をプレーヤー間で統一することができる。
【００３５】
また、本実施の形態に係る風船装着具１０を使用する場合には、風船１００の空気注入口を捩って形成した端部１０３を複数の切欠部１８、１８・・・に係止させた後に、図２及び図３に示すように、装着部１２に設けられた接合部１５の螺合部（図示せず）を、風船固定部１１に設けられた固定部１４の外周面部１９に沿って螺子部２０に螺合させる。
従って、風船１００が固定された風船固定部１１を、プレーヤーの身体１０１に固定するための装着部１２に対して、簡単かつ確実に固定することができる。
【００３６】
特に、本実施の形態に係る風船装着具１０にあっては、予備の風船及び風船固定部を用意して、前記予備の風船を膨らませ、前記予備の風船の空気注入口を前記予備の風船固定部に設けられた固定部に固定することで、予備の風船を膨らませた状態でストックしておくことができる。
従って、風船１００が割れた場合には、装着部１２から風船固定部１１を取り外し、代わりに前記予備の風船固定部を取り付けることで、予備の風船と素早く交換することができる。
【００３７】
また、この際、風船１００の空気注入口を捩って形成した端部１０３が係止される複数の切欠部１８、１８・・・は、接合部１５によって被覆されるので、空気注入口を捩って形成した端部１０３が切欠部１８、１８・・・から脱出して、風船１００が外れたり、風船１００内の空気が漏れたりするといった事態を確実に防止することができる。
【００３８】
また、本実施の形態に係る風船装着具１０を使用する場合には、風船１００が固定された風船固定部１１を、装着部１２に固定させた後に、図４に示すように、装着部１２の係止部１６に設けられた挟持片部２２をプレーヤーの身体１０１に固定させる。
この際、装着部１２は、挟持片部２２に設けられた一対の挟持片２１、２１によって、プレーヤーの装備品１０４に係止されるので、本実施の形態に係る風船装着具１０をプレーヤーの身体１０１に着脱可能に固定することができる。
その結果、標的として用いられる風船１００を簡単かつ確実にプレーヤーの身体１０１に固定することができる風船装着具１０を提供することができる。
特に、本実施の形態に係る風船装着具１０にあっては、挟持片部２２に設けられた一対の挟持片２１、２１によって、プレーヤーの装備品１０４に係止されるので、風船１００を簡単かつ確実に身体１０１の任意の箇所に着脱可能に固定することができる。
また、さらに、本実施の形態に係る風船装着具１０にあっては、風船１００が割れて予備の風船と交換する場合においても、装着部１２をプレーヤーの身体１０１から外すことで風船を簡単に交換することができる。
【００３９】
また、図１及び図４に示すように、本実施の形態に係る風船装着具１０にあっては、風船下部１０２は保持部１３によって保持されると共に、風船１００の空気注入口を捩って形成した端部１０３は固定部１４に固定されるので、サバイバルゲーム等においてプレーヤーが激しく動いた場合であっても、風船１００を標的として確実に固定することができる。
そして、適宜の発射手段により風船１００を標的として飛翔体を発射して風船１００を破壊することにより、勝負を明確化することができる。
また、図１、図２、及び図４に示すように、本実施の形態に係る風船装着具１０にあっては、保持部１３の拡径端部３３が保護テープ３４によって被覆されているので、プレーヤーが激しく動くことで生じる風船下部１０２と保持部１３との摩擦によって、風船１００が割れるといった事態を防止することができる。
【００４０】
本実施の形態に係る風船固定部１１は、風船下部１０２を保持しうる保持部１３と、保持部１３に設けられ、風船１００の空気注入口を捩って形成した端部１０３を固定しうる固定部１４とを有しており、また、装着部１２は、固定部１４を着脱可能に接合しうる接合部１５と、接合部１５に設けられ、プレーヤーの装備品１０４に係止しうる係止部１６とにより構成されている場合を例に説明したが、前記構成に限定されず、風船１００を着脱可能に係合固定しうる風船固定部１１と、風船固定部１１をプレーヤーの身体１０１に着脱可能に固定しうる装着部１２とを備えていればよい。
【産業上の利用可能性】
【００４１】
本考案は、標的として使用される風船をプレーヤーの身体に装着するための風船装着具に広く適用可能であり、産業上利用可能性を有している。
【符号の説明】
【００４２】
１０：風船装着具
１１：風船固定部
１２：装着部
１３：保持部
１４：固定部
１５：接合部
１６：係止部
１７：縮径端部
１８：切欠部
１９：外周面部
２０：螺子部
２１：挟持片
２２：挟持片部
２３：係止部固定部
２４：胴部
２５：軸部
２６：把持部
２７：孔部
２８：一端部
２９：底部
３０：螺子
３１：他端部
３２：ナット
３３：拡径端部
３４：保護テープ
１００：風船
１０１：身体
１０２：風船下部
１０３：空気注入口を捩って形成した端部
１０４：装備品
Ｌ１：接合部の径寸法
【図１】
0003199335.tif 000003
【図２】
0003199335.tif 000004
【図３】
0003199335.tif 000005
【図４】
0003199335.tif 000006
【手続補正書】
【提出日】平成27年6月5日(2015.6.5)
【手続補正１】
【補正対象書類名】実用新案登録請求の範囲
【補正対象項目名】請求項５
【補正方法】変更
【補正の内容】
【請求項５】
前記固定部の外周面部には螺子部が設けられると共に前記接合部は前記螺子部に螺合しうる螺合部を有することを特徴とする請求項３記載の風船装着具。